(57)【要約】【課題】狭帯域又は広帯域を選択的に切り替え可能な複合テレビジョンチューナにおいて、隣接チャンネルの妨害信号を十分に減衰させ、希望帯域の中間周波信号を後段回路に通過させること。【解決手段】テレビジョンチューナ１０のミキサ３１，３２の後段に接続される中間周波回路１３において、一端がミキサ３１，３２に接続された第１のインダクタＬ１０と、第１のインダクタＬ１０の他端とグラウンド間に接続された中間周波同調回路５１と、第１のインダクタＬ１０の他端と出力端間に接続された下側隣接チャンネル減衰用トラップ回路５２とを備え、第１のインダクタＬ１０の一端と出力端間にコンデンサＣ１４が接続され、下側隣接チャンネル減衰用トラップ回路５２は、トラップ共振点より低い周波数においては誘導性のインピーダンスを有すると共に前記トラップ共振点より高い周波数においては容量性のインピーダンスを有する。【選択図】図２
2010199869.tif 000002
【特許請求の範囲】
【請求項１】
テレビジョンチューナの混合回路の後段に接続される中間周波回路であって、
一端が前記混合回路に接続された第１のインダクタと、
前記第１のインダクタの他端とグラウンド間に接続された中間周波同調回路と、
前記第１のインダクタの他端と出力端間に接続された下側隣接チャンネル減衰用トラップ回路とを備え、
前記第１のインダクタの一端と出力端間に第１の容量が接続され、
前記下側隣接チャンネル減衰用トラップ回路は、トラップ共振点より低い周波数においては誘導性のインピーダンスを有すると共に、前記トラップ共振点より高い周波数においては容量性のインピーダンスを有することを特徴とする中間周波回路。
【請求項２】
前記隣接チャンネル減衰用トラップ回路は、
第２のインダクタ及び第２の容量からなる並列共振回路と、
前記並列共振回路に対し直列接続された第３の容量と、を有することを特徴とする請求項１に記載の中間周波回路。
【請求項３】
前記テレビジョンチューナは、アナログＰＡＬ信号、アナログＳＥＣＡＭ信号及び地上デジタル信号を受信可能であり、
前記隣接チャンネル減衰用トラップ回路の両端間には、スイッチ手段が接続され、
前記アナログＰＡＬ信号受信時には、前記スイッチ手段をオフし、
前記アナログＳＥＣＯＭ信号又は地上デジタル信号受信時には、前記スイッチ手段をオンすることを特徴とする請求項１または請求項２に記載の中間周波回路。
【請求項４】
前記中間周波同調回路には、前記中間周波帯の下側に隣接するチャンネルを減衰する上側隣接チャンネル減衰用トラップ機能が設けられていることを特徴とする請求項１から請求項３のいずれかに記載の中間周波回路。
【発明の詳細な説明】
【技術分野】
【０００１】
本発明は、中間周波回路に関し、例えば、アナログ方式及びデジタル方式に対応する狭帯域又は広帯域を選択的に切り替え、アナログテレビジョン信号及びデジタルテレビジョン信号を受信可能な複合テレビジョンチューナに用いられる中間周波回路に関する。
【背景技術】
【０００２】
従来、テレビジョン信号を中間周波信号に周波数変換するミキサと、中間周波信号を増幅する増幅器との間に、中間周波帯において帯域制限する帯域制限回路が設けられたものがある。たとえば、中間周波信号に同調すると共に隣接チャンネルの妨害信号を減衰する帯域制限回路が提案されている（例えば、特許文献１参照）。
【０００３】
また、このような中間周波帯の帯域制限回路（中間周波回路）が用いられるテレビジョンチューナには、アナログ方式及びデジタル方式に対応した複合テレビジョンチューナがある。アナログ方式には、ＰＡＬ（Phase  Alternation  by  Line）方式やＳＥＣＡＭ（SEquential  Couleur  A  Memoire）方式等の複数の方式に対応できることが望まれる。
【０００４】
図８は、上述したアナログ方式及びデジタル方式に対応した複合テレビジョンチューナに用いられる中間周波回路を示す回路図である。図８に示す中間周波回路１は、一端が中間周波増幅器の出力端子Ｔ１に接続されたインダクタＬ１と、インダクタＬ１の他端と後段の中間周波増幅器の入力端子Ｔ２との間に設けられた同調回路２と、下隣接トラップ回路３とを備えている。
【０００５】
同調回路２は、インダクタＬ１を介して出力端子Ｔ１に接続されており、コンデンサＣ１とインダクタＬ２との並列共振回路で構成されている。インダクタＬ２のコールド側は直流カット用コンデンサＣ３を介してグラウンドに接続されている。コンデンサＣ３は、直流電圧をカットすべく大きな容量値（例えば、１０００ＰＦ）に設定されている。
【０００６】
下隣接トラップ回路３は、同調回路２の後段に接続されており、インダクタＬ３とコンデンサＣ４とからなる並列共振回路を備える。並列共振回路の入出力端間をダイオードＤ１で接続している。並列共振回路の出力端はコンデンサＣ５を介して後段の中間周波増幅器に接続されると共に、コンデンサＣ６を介してグラウンドに接続されている。下隣接トラップ回路３の出力端には抵抗Ｒ１及びトランジスタＴｒ１のコレクタ−エミッタを介してグラウンドに接続されている。抵抗Ｒ１のグラウンド側端部とトランジスタＴｒ１のコレクタとの接続点には抵抗Ｒ２を介して電源電圧Ｖｃｃが印加される電源電圧端子Ｔ３が接続されている。
【０００７】
この中間周波回路１は、トランジスタＴｒのベースに印加される駆動電圧によりトランジスタＴｒ１のオン・オフが切り替えられ、ダイオードＤ１に対して、電源電圧Ｖｃｃの順方向バイアス又は逆方向バイアス電圧が印加される。ダイオードＤ１の両端に順方向バイアス電圧が印加されてダイオードＤ１が導通すると（図９（ａ））、ＳＥＣＡＭ方式又はデジタル方式に対応する帯域（広帯域）に切り替えられ、同調回路２により、この帯域の中間周波信号に同調される。一方、ダイオードＤ１に逆方向バイアス電圧が印加されてダイオードＤ１が開放すると（図９（ｂ））、ＰＡＬ方式に対応する帯域（狭帯域）に切り替えられ、同調回路２により、この帯域の中間周波信号に同調されると共に、下隣接トラップ回路３により、隣接するチャンネルの妨害信号を減衰させる。
【先行技術文献】
【特許文献】
【０００８】
【特許文献１】実用新案登録第３１０３６２０号公報
【発明の概要】
【発明が解決しようとする課題】
【０００９】
しかしながら、上述した中間周波回路１では、ＳＥＣＡＭ方式又はデジタル方式の広帯域において、同調回路２の特性により低域側の周波数特性が強調されるものの、映像周波数に相当する周波数点Ｐ１が十分に強調されていない（図１０（ａ））。また、ＰＡＬ方式の狭帯域において、下隣接トラップ回路３により、中間周波帯で上側に隣接する音声周波数に相当する周波数帯域を４０．４ＭＨｚに減衰させているが（Ａ１）、この減衰量は十分ではなく、また、中間周波帯における低域側での減衰量も十分ではないため、キャリア信号が後段回路に流出してしまう恐れがあった（図１０（ｂ））。さらに、ＰＡＬ方式において、ＶＨＦ  ＬｏｗのＲＦ帯域に相当する周波数での減衰量も十分ではないため、キャリア信号が後段回路に流出してしまう恐れがあった（図１０（ｃ））。
【００１０】
本発明は、かかる点に鑑みてなされたものであり、アナログ方式及びデジタル方式に対応した狭帯域又は広帯域を選択的に切り替え可能な複合テレビジョンチューナに用いた場合でも、希望帯域に隣接するチャンネルの妨害信号を十分に減衰させて、希望帯域の中間周波信号を後段回路に通過させることができる中間周波回路を提供することを目的とする。
【課題を解決するための手段】
【００１１】
本発明の中間周波回路は、テレビジョンチューナの混合回路の後段に接続される中間周波回路であって、一端が前記混合回路に接続された第１のインダクタと、前記第１のインダクタの他端とグラウンド間に接続された中間周波同調回路と、前記第１のインダクタの他端と出力端間に接続された下側隣接チャンネル減衰用トラップ回路とを備え、前記第１のインダクタの一端と出力端間に第１の容量が接続され、前記下側隣接チャンネル減衰用トラップ回路は、トラップ共振点より低い周波数においては誘導性のインピーダンスを有すると共に前記トラップ共振点より高い周波数においては容量性のインピーダンスを有することを特徴とする。
【００１２】
この構成によれば、中間周波同調回路が希望帯域の中間周波信号に同調し、下側隣接チャンネル減衰用トラップ回路が下側隣接チャンネルを減衰するので、希望帯域の中間周波帯に隣接するチャンネルの妨害信号を十分に減衰させて、希望帯域の中間周波信号を後段回路に通過させることができるができる。また、下側隣接チャンネル減衰用トラップ回路は、トラップ共振点より低い周波数で誘導性のインピーダンスとして作用すると共に高い周波数では容量性のインピーダンスとして作用するため、この共振特性により映像信号に相当する周波数点がより強調されると共に、高域周波数を大きく減衰させることができる。
【００１３】
本発明は、上記中間周波回路において、前記隣接チャンネル減衰用トラップ回路は、第２のインダクタ及び第２の容量からなる並列共振回路と、前記並列共振回路に対し直列接続された第３の容量と、を有することを特徴とする。
【００１４】
本発明は、上記中間周波回路において、前記テレビジョンチューナは、アナログＰＡＬ信号、アナログＳＥＣＡＭ信号及び地上デジタル信号を受信可能であり、前記隣接チャンネル減衰用トラップ回路の両端間には、スイッチ手段が接続され、前記アナログＰＡＬ信号受信時には、前記スイッチ手段をオフし、前記アナログＳＥＣＯＭ信号又は地上デジタル信号受信時には、前記スイッチ手段をオンすることを特徴とする。
【００１５】
本発明は、上記中間周波回路において、前記中間周波同調回路には、前記中間周波帯の下側に隣接するチャンネルを減衰する上側隣接チャンネル減衰用トラップ機能が設けられていることを特徴とする。
【００１６】
この構成によれば、上側隣接チャンネル減衰用トラップ機能によって、中間周波帯で上側に隣接する周波数帯を減衰させることが出来ると共に、映像信号に相当する周波数近傍を強調させることができる。
【発明の効果】
【００１７】
本発明によれば、アナログ方式及びデジタル方式に対応した狭帯域又は広帯域を選択的に切り替え可能な複合テレビジョンチューナに用いた場合でも、希望帯域に隣接するチャンネルの妨害信号を十分に減衰させて、希望帯域の中間周波信号を後段回路に通過させることができる。
【図面の簡単な説明】
【００１８】
【図１】本発明の実施の形態に係る複合テレビジョンチューナの構成を示す回路図である。
【図２】本実施の形態に係る中間周波回路の構成を示す回路図である。
【図３】本実施の形態に係る中間周波回路の動作を示す等価回路図である。
【図４】本実施の形態に係る中間周波回路の下隣接トラップ回路の特性を示す等価回路図である。
【図５】本実施の形態に係る中間周波回路のシミュレーション結果を示す図である。
【図６】比較例に係る中間周波回路のシミュレーション結果を示す図である。
【図７】本実施の形態の変形例に係る中間周波回路を説明するための図である。
【図８】従来の中間周波回路の構成を示す回路図である。
【図９】従来の中間周波回路の動作を示す等価回路図である。
【図１０】課題を説明するための図である。
【発明を実施するための形態】
【００１９】
以下、添付図面を参照して、本発明の実施の形態について詳細に説明する。本発明の実施の形態に係る中間周波回路は、アナログ方式及びデジタル方式に対応する狭帯域又は広帯域を選択的に切り替え、アナログテレビジョン信号及びデジタルテレビジョン信号を受信可能な複合テレビジョンチューナに用いられる中間周波回路である。アナログ方式には、ＰＡＬ（Phase  Alternation  by  Line）方式やＳＥＣＡＭ（SEquential  Couleur  A  Memoire）方式等の複数の方式がある。
【００２０】
図１は、本発明の実施の形態に係る複合テレビジョンチューナ（以下、チューナという）の構成を示す回路図である。図１に示すように、チューナ１０は、テレビジョン信号に同調するＲＦ同調回路１１と、中間周波回路１３と、デジタルＳＡＷフィルタ（Digital  SAW  Filter）１４と、映像信号用のアナログＳＡＷフィルタ（Analog  SAW  Filter）１５と、音声信号用のアナログＳＡＷフィルタ１６と、を備えている。
【００２１】
ＲＦ同調回路１１は、アンテナで受信したテレビジョン信号（受信信号）を増幅する高周波増幅器１８と、ＵＨＦ帯の受信信号を通過させるバンドパスフィルタ（ＢＰＦ）１９と、ＶＨＦ帯の受信信号を通過させる２つのＢＰＦ２０，２１と、各ＢＰＦ１９，２０，２１を通過した各帯域の受信信号を増幅する増幅器２２，２３，２４と、ＲＦフィルタ２５，２６，２７と、を有している。アンテナで受信した受信信号は高周波増幅器１８で所定の信号レベルに増幅され、ＢＰＦ１９，２０，２１にそれぞれ出力される。ＢＰＦ１９を通過したＵＨＦ帯の受信信号は、増幅器２２で所定の信号レベルに増幅された後、ＲＦフィルタ２５を通過して、ミキサ３１に送られる。また、ＢＰＦ２０，２１をそれぞれ通過したＶＨＦ帯の受信信号は、増幅器２３，２４でそれぞれ所定の信号レベルに増幅された後、ＲＦフィルタ２６，２７を通過してミキサ３２に送られる。
【００２２】
局部発振器３３，３４，３５は、安定した発振周波信号を生成するために、ＰＬＬ回路３８によって発振周波数が固定される。ＰＬＬ回路３８には、ＤＣコンバータ３９から電源が供給されると共に、バスインターフェース（Bus  Interface）４０を介して、図示しない制御回路から制御信号（ＳＣＬ及びＳＤＡ）が入力される。ミキサ３１では、ＲＦフィルタ２５を通過したＵＨＦ帯の受信信号に対して、局部発振器３３で生成された局部発振信号が混合されて中間周波信号が生成される。また、ミキサ３２では、ＲＦフィルタ２６，２７を通過したＶＨＦ帯の各受信信号に対して、局部発振器３４，３５で生成された各発振信号が混合されて中間周波信号が生成される。ミキサ３２で生成された中間周波信号は、ＢＰＦ３６を通過し、第１の中間周波増幅器３７で所定の信号レベルに増幅されて、中間周波回路１３に出力される。
【００２３】
中間周波回路１３は、帯域制限スイッチ４１から印加されるＤＣ電圧により、ＰＡＬ方式に対応した狭帯域とＳＥＣＡＭ方式及びデジタル方式に対応した広帯域との間で帯域幅が切り替えられ、切り替えられた希望帯域の中間周波信号に同調すると共に中間周波信号に隣接する妨害信号を除去する。中間周波回路１３で妨害信号が除去された中間周波信号は、第２の中間周波増幅器４２で所定の信号レベルに増幅されて、デジタルＳＡＷフィルタ１４又はアナログＳＡＷフィルタ１５，１６に出力される。なお、中間周波回路１３の詳細な構成については後述する。
【００２４】
デジタルＳＡＷフィルタ１４は、第２の中間周波増幅器４２で増幅された中間周波信号を通過させる帯域切替型デジタルＳＡＷフィルタであり、帯域切替スイッチ４３により帯域が切り替えられるように構成されている。帯域切替スイッチ４３は、ＤＣスイッチポート（Switch  Port）４４から印加される電圧によりデジタルＳＡＷフィルタ１４の２つのピンの接続／非接続が切り替えられ、これにより帯域が切り替えられる。デジタルＳＡＷフィルタ１４を通過した中間周波信号は、ゲインコントロール増幅器４５で所定の信号レベルに増幅されて、図示しないデジタル復調理回路に出力される。
【００２５】
映像用のアナログＳＡＷフィルタ１５は、第２の中間周波増幅器４２で増幅された中間周波信号の映像信号のみを通過させ、アナログ復調器（Analog  Demodulator）４６に出力する。音声用のアナログＳＡＷフィルタ１６は、切替スイッチ４７により通過帯域が切り替えられるように構成されている。切替スイッチ４７は、バスインターフェース４８に接続されたＤＣスイッチポート４９から印加される電圧により音声用のアナログＳＡＷフィルタ１６の２つのピンの接続／非接続が切り替え、これにより音声帯域が切り替えられる。音声用のアナログＳＡＷフィルタ１６は、第２の中間周波増幅器４２で増幅された中間周波信号の音声信号のみを通過させ、アナログ復調器４６に出力する。アナログ復調器４６に入力された映像信号及び音声信号は、図示しないアナログ信号処理回路に出力される。なお、上記チューナ１０において、ミキサ３１，３２、局部発振器３３〜３５、第１の中間周波増幅器３７、ＰＬＬ回路３８、バスインターフェース４０、帯域制限スイッチ４１、第２の中間増幅器４２、ＤＣスイッチポート４４、ゲインコントロール増幅器４５は、集積回路ＭＯＰ  ＩＣで構成されている。
【００２６】
次に、図２を用いて中間周波回路１３について説明する。図２は、中間周波回路１３の構成を示す回路図である。図２に示す中間周波回路１３は、一端が第１の中間周波増幅器３７の出力端子Ｔ１に接続されたインダクタ（第１のインダクタ）Ｌ１０と、インダクタＬ１０の他端と第２の中間周波増幅器４２の入力端子Ｔ２との間に設けられた同調／上隣接トラップ回路（中間周波同調回路）５１及び下隣接トラップ回路５２と、で構成されている。第１の中間周波増幅器３７の出力端子Ｔ１は、第２の中間周波増幅器４２の入力端子Ｔ２側に比べて低インピーダンスであるため、インダクタＬ１０のＬ結合により、出力端子Ｔ１と入力端子Ｔ２とのインピーダンスを整合させるように機能する。
【００２７】
同調／上隣接トラップ回路５１は、コンデンサＣ１０とインダクタＬ１１との並列共振回路と、インダクタＬ１１とコンデンサＣ１１との直列共振回路とから構成されている。並列共振回路は、ＳＥＣＡＭ方式及びデジタル方式に対応した比較的広帯域の中間周波信号に同調する周波数特性を有し、直列共振回路は中間周波帯域の下側に相当する上隣接チャンネルの周波帯域を減衰させる上隣接トラップ回路として機能する。インダクタＬ１１の一端は、インダクタＬ１０の他端と下隣接トラップ回路５２との接続点に接続され、他端はコンデンサＣ１１の一端に直列に接続されている。コンデンサＣ１１の他端はグラウンドに接地されている。インダクタＬ１１とで直列共振回路を構成するコンデンサＣ１１の容量は、トラップ回路のＱ特性を考慮し、１００ＰＦ以下（例えば、４０ＰＦ程度）に設定されている。コンデンサＣ１０の一端は、インダクタＬ１０の他端に接続され、コンデンサＣ１０の他端は、コンデンサＣ１１とグラウンドと間に接続されている。
【００２８】
下隣接トラップ回路５２は、インダクタＬ１２（第２のインダクタ）とコンデンサＣ１２（第２の容量）とからなる並列共振回路と、この並列共振回路の入出力端間に接続されたダイオードＤ１０と、並列共振回路の出力端と第２の中間周波増幅器４２の入力端子Ｔ２との間に設けられたコンデンサＣ１３（第３の容量）と、から構成されている。また、インダクタＬ１０と入力端子Ｔ２との間には、コンデンサＣ１４（第１の容量）が設けられている。インダクタＬ１２の一端は、インダクタＬ１０の他端とインダクタＬ１１の一端との接続点に接続され、インダクタＬ１２の他端は、コンデンサＣ１３の一端に接続されている。コンデンサＣ１３の一端はインダクタＬ１２の一端に接続され、コンデンサＣ１３の他端は、コンデンサＣ１５を介して入力端子Ｔ２に接続されている。ダイオードＤ１０のアノードは、並列共振回路（Ｃ１２,Ｌ１２）の入力端に接続され、ダイオードＤ１０のカソードは、並列共振回路（Ｃ１２,Ｌ１２）の出力端に接続されている。コンデンサＣ１４の一端は、出力端子Ｔ１とインダクタＬ１０の一端との接続点に接続され、他端は、ダイオードＤ１のカソード側に接続されている。
【００２９】
下隣接トラップ回路５２の出力端は、抵抗Ｒ１０及びトランジスタＴｒ１０のコレクタ−エミッタを介して接地される。帯域制限スイッチ（スイッチ手段）４１として機能するトランジスタＴｒ１０のコレクタと抵抗Ｒ１０との間には、抵抗Ｒ１１を介して電源電圧Ｖｃｃが印加される電源電圧端子Ｔ３が接続されている。中間周波回路１３は、トランジスタＴｒ１０のベースに印加される駆動電圧によりトランジスタＴｒ１０のオン・オフが切り替えられ、ダイオードＤ１０の両端間に対して、順方向バイアス又は逆方向バイアス電圧が印加される。ダイオードＤ１０に順方向バイアス電圧が印加されてダイオードＤ１０が導通すると、ＳＥＣＡＭ方式又はデジタル方式に対応した帯域（広帯域）に切り替えられ、ダイオードＤ１０に逆方向バイアス電圧が印加されてダイオードＤ１０が開放すると、ＰＡＬ方式に対応した帯域（狭帯域）に切り替えられるように構成されている。
【００３０】
次に、図３、図４及び図５を用いて、中間周波回路１３の動作を説明する。図３は、本実施の形態に係る中間周波回路の動作を示す等価回路図であり、同図（ａ）はダイオードＤ１０が導通した場合の中間周波回路１３の動作を示し、同図（ｂ）はダイオードＤ１０が開放した場合の中間周波回路１３の動作を示している。図４は、下隣接トラップ回路の誘導性／容量性を加味した等価回路図であり、同図（ａ）は誘導性となるトラップ周波数より低い帯域での等価回路を示し、同図（ｂ）は容量性となるトラップ周波数より高い帯域での等価回路を示している。図５は、中間周波回路のシミュレーション結果を示す図である。
【００３１】
図３（ａ）に示すように、ダイオードＤ１が導通してＳＥＣＡＭ方式及びデジタル方式に対応した帯域（広帯域）に切り替えられると、コンデンサＣ１０及びインダクタＬ１１からなる中間周波同調回路が中間周波信号に同調し、インダクタＬ１１とコンデンサＣ１１からなる上隣接トラップ回路が、中間周波帯域の下側に相当する上隣接チャンネルの周波数帯を減衰させる。その結果、図５（ａ）に示すように、インダクタＬ１１及びコンデンサＣ１１の直列共振特性によりＡ１０で示す周波数近傍にトラップが形成され、インダクタＬ１０の結合特性及びコンデンサＣ１０及びインダクタＬ１１の同調特性により映像信号に相当する周波数点Ｐ１０近傍が強調される。
【００３２】
一方、図３（ｂ）に示すように、ダイオードＤ１が開放してＰＡＬ方式に対応した帯域（狭帯域）に切り替えられると、コンデンサＣ１０及びインダクタＬ１１からなる中間周波同調回路が中間周波信号に同調し、インダクタＬ１１とコンデンサＣ１１からなる上隣接トラップ回路が、中間周波帯域の下側に相当する上隣接チャンネルの周波数帯を減衰させ、インダクタＬ１２とコンデンサＣ１２からなる下隣接トラップ回路が、中間周波帯域の上側に相当する下隣接チャンネルの周波数帯を減衰させる。ここで、図４に示すように、下隣接トラップ回路は、トラップ周波数より低い帯域では誘導性（Ｌ性）の負荷として回路全体に作用する一方、トラップ周波数より高い帯域では容量性（Ｃ性）の負荷として回路全体に作用する。したがって、低い帯域では、この誘導性負荷として作用する下隣接トラップ回路とコンデンサＣ１４とのＬＣ共振回路が、第２の中間周波増幅器４２の入力端子Ｔ２とグラウンド間に設けられることになり（図４（ａ））、この共振特性により映像信号に相当する周波数近傍（Ｐ）がより強調されることになる。高い帯域では、容量性負荷として作用する下隣接トラップ回路とコンデンサＣ１４とＬ結合用のインダクタＬ１０との共振回路が信号線路上に形成されることになり（図４（ｂ））、この共振特性により高域周波数を大きく減衰させることができる。
【００３３】
その結果、図５（ｂ）に示すように、コンデンサ１４の配置変更に伴い高域側の減衰作用によってＡ１１で示す周波数近傍にトラップが形成され、中間周波帯域の上側に隣接する音声周波数の減衰量も十分となり、キャリア信号が後段回路に流出することを抑制することができる。また、インダクタＬ１１及びコンデンサＣ１１の直列共振特性によりＡ１２で示す周波数近傍が減衰され、キャリア信号が後段回路に流出することを抑制することができる。また、図５（ｃ）に示すように、コンデンサ１４の配置変更に伴い高域側の減衰作用によってＡ１３で示す周波数近傍にトラップが形成され、ＶＨＦ  ＬｏｗのＲＦ帯域が減衰され、キャリア信号が後段回路に流出することを抑制することができる。
【００３４】
なお、中間周波回路１３からコンデンサＣ１４を削除した場合、図６（ａ）に示すように、中間周波帯域の下側に相当する上隣接の減衰量は影響を受けないものの、中間周波帯域の上側に相当する下隣接の減衰量は影響を受けることがわかる。また、図６（ｂ）に示すように、ＶＨＦ  ＬｏｗのＲＦ帯域における減衰量も影響を受けることがわかる。これにより、下隣接の減衰量及びＶＨＦ  ＬｏｗのＲＦ帯域の減衰量は、下隣接トラップ回路及びコンデンサＣ１４により減衰量が決められる。
【００３５】
次に、図７を用いて、中間周波回路１３のコンデンサＣ１３の容量を可変した場合の周波数点Ｐ１１と減衰極Ａとの減衰量及び周波数範囲の関係について説明する。ここでは、コンデンサＣ１３の容量を１２ＰＦ〜２０ＰＦに可変させ、コンデンサＣ１４の容量を６．２ＰＦに設定している。図７に示すように、コンデンサＣ１３の容量が大きくなるに伴い、周波数点Ｐ１１と減衰極Ａ（２１〜２４）との減衰量は大きくなる一方、周波数点Ｐ１１と減衰極Ａとの周波数範囲が大きくなっている。したがって、コンデンサＣ１３の容量を小さくすると周波数点Ｐ１１に対する減衰量は減少するため、トラップの設定位置及び減衰量を考慮してコンデンサＣ１３の容量を設定することが好ましい。
【００３６】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００３７】
本発明は、アナログ方式及びデジタル方式に対応した狭帯域又は広帯域を選択的に切り替え可能な複合テレビジョンチューナに適用可能である。
【符号の説明】
【００３８】
１０  テレビジョンチューナ
１１  ＲＦ同調回路
１３  中間周波回路
３１，３２  ミキサ
３７  第１の中間周波増幅器
４１  帯域制限スイッチ（スイッチ手段）
４２  第２の中間周波増幅器
５１  同調／上隣接トラップ回路（中間周波同調回路）
５２  下隣接トラップ回路（下側隣接チャンネル減衰用トラップ回路）
Ｃ１０、Ｃ１１、Ｃ１２、Ｃ１３、Ｃ１４  コンデンサ
Ｌ１０、Ｌ１１、Ｌ１２  インダクタ
Ｔ１  出力端子
Ｔ２  入力端子
【図１】
2010199869.tif 000003
【図２】
2010199869.tif 000004
【図３】
2010199869.tif 000005
【図４】
2010199869.tif 000006
【図５】
2010199869.tif 000007
【図６】
2010199869.tif 000008
【図７】
2010199869.tif 000009
【図８】
2010199869.tif 000010
【図９】
2010199869.tif 000011
【図１０】
2010199869.tif 000012